(57)【要約】【課題】万華鏡使用者がより美しい模様を見ることができるようにした万華鏡を提供する。【解決手段】筒状体（１）にミラーシステム（３）を内設し、該筒状体の後端には覗き窓（５）を設け、該筒状体の前端には密閉容器（１１）を備えさせ、該密閉容器の前後両端部をそれぞれ透光体（１３）（１５）により形成し、該密閉容器内に多数のオブジェクト（２３）を移動自在に配設してなる万華鏡において、前記密閉容器内を前後方向の隔壁（１９）により相互に独立した複数個の収納室（２１）に区画し、各収納室内に多数のオブジェクトを他の収納室内のオブジェクトと混ざり合わないように移動自在に配設したことを特徴とする万華鏡。密閉容器は筒状体に対し回転自在であってもよい。【選択図】図１
2004361730.tif 000002
【特許請求の範囲】
【請求項１】
筒状体にミラーシステムを内設し、該筒状体の後端には覗き窓を設け、該筒状体の前端には密閉容器を備えさせ、該密閉容器の前後両端部をそれぞれ透光体により形成し、該密閉容器内に多数のオブジェクトを移動自在に配設してなる万華鏡において、
前記密閉容器内を前後方向の隔壁により相互に独立した複数個の収納室に区画し、各収納室内に多数のオブジェクトを他の収納室内のオブジェクトと混ざり合わないように移動自在に配設したことを特徴とする万華鏡。
【請求項２】
筒状体にミラーシステムを内設し、該筒状体の後端には覗き窓を設け、該筒状体の前端には密閉容器を該筒状体に対し回転自在に備えさせ、該密閉容器の前後両端部をそれぞれ透光体により形成し、該密閉容器内に多数のオブジェクトを移動自在に配設してなる万華鏡において、
前記密閉容器内を前後方向の隔壁により相互に独立した複数個の収納室に区画し、各収納室内に多数のオブジェクトを他の収納室内のオブジェクトと混ざり合わないように移動自在に配設したことを特徴とする万華鏡。
【発明の詳細な説明】
【０００１】
【発明の属する技術分野】
本発明は万華鏡に関するものである。
【０００２】
【従来の技術】
万華鏡としては、筒状体にミラーシステムを内設し、該筒状体の後端には覗き窓を設け、該筒状体の前端には密閉容器を備えさせ、該密閉容器の前後両端部をそれぞれ透光体により形成し、該密閉容器内に多数のオブジェクトを移動自在に配設してなるものが既に知られている。
【０００３】
上記従来の万華鏡を使用する際には、筒状体を手で持ち、該筒状体の後端に設けられた覗き窓を覗いた状態で該筒状体を回転させるのである。しかるときは、密閉容器は筒状体と共に回転し、密閉容器内に配設された多数のオブジェクトは種々の態様で密閉容器内を移動し、万華鏡使用者は刻々と変化する模様を見ることができる。
【０００４】
一方、特開平１１−２２３７９４号公報は、上記密閉容器を筒状体に対し回転自在となした万華鏡を開示している。
【０００５】
同公報に示す万華鏡を使用する際には、覗き窓を有する筒状体を回転させることなく、密閉容器のみを回転させればよいため、該万華鏡は使い勝手が良好である。
【０００６】
【特許文献１】
特開平１１−２２３７９４号公報（請求項１）
【０００７】
【発明が解決しようとする課題】
しかるに、上記従来の万華鏡においては、筒状体又は密閉容器を回転させたときには、密閉容器内に配設された多数のオブジェクトは無秩序に混ざり合うため、万華鏡使用者は必ずしも美しい模様を見ることができないという問題がある。
【０００８】
本発明は、上記従来の万華鏡における上述の如き問題を解決し、万華鏡使用者がより美しい模様を見ることができるようにした万華鏡を提供しようとしてなされたものである。
【０００９】
【課題を解決するための手段】
上記課題を解決するために、本発明は下記の万華鏡を提供する。
【００１０】
（１）筒状体にミラーシステムを内設し、該筒状体の後端には覗き窓を設け、該筒状体の前端には密閉容器を備えさせ、該密閉容器の前後両端部をそれぞれ透光体により形成し、該密閉容器内に多数のオブジェクトを移動自在に配設してなる万華鏡において、
前記密閉容器内を前後方向の隔壁により相互に独立した複数個の収納室に区画し、各収納室内に多数のオブジェクトを他の収納室内のオブジェクトと混ざり合わないように移動自在に配設したことを特徴とする万華鏡（請求項１）。
【００１１】
（２）筒状体にミラーシステムを内設し、該筒状体の後端には覗き窓を設け、該筒状体の前端には密閉容器を該筒状体に対し回転自在に備えさせ、該密閉容器の前後両端部をそれぞれ透光体により形成し、該密閉容器内に多数のオブジェクトを移動自在に配設してなる万華鏡において、
前記密閉容器内を前後方向の隔壁により相互に独立した複数個の収納室に区画し、各収納室内に多数のオブジェクトを他の収納室内のオブジェクトと混ざり合わないように移動自在に配設したことを特徴とする万華鏡（請求項２）。
【００１２】
特許請求の範囲を含む本明細書における「ミラーシステム」とは、内面を反射面とし、筒状体の長さ方向に配設されたミラー組立であって、下記のものが含まれるものとする。
【００１３】
（イ）２枚のミラーと１枚の光吸収板とを三角筒状に組み合わせてなるもの（ツーミラーシステム）
【００１４】
（ロ）３枚のミラーを三角筒状に組み合わせてなるもの（スリーミラーシステム）
【００１５】
（ハ）３枚のミラーと１枚の光吸収板とを四角筒状に組み合わせてなるもの（レクタンギュラーミラーシステム）
【００１６】
（ニ）４枚のミラーを四角筒状に組み合わせてなるもの（フォーミラーシステム）
【００１７】
（ホ）４枚のミラーを菱形筒状に組み合わせてなるもの、即ち光吸収板を有しないツーミラーシステムを二つ組み合わせてなるもの（ツインミラーシステム）
【００１８】
（ヘ）３枚又は４枚のミラーを截頭三角錐状又は截頭四角錐状に組み合わせてなるもの（テーパードミラーシステム）
【００１９】
（ト）円筒状のミラーよりなるもの（サークルミラーシステム）
【００２０】
特許請求の範囲を含む本明細書における「前」とは、万華鏡使用者から離れる方向をいい、「後」とは万華鏡使用者に近づく方向をいうものとする。また、特許請求の範囲を含む本明細書における「万華鏡」には、密閉容器内にオブジェクトのみを配設したドライタイプのみならず、密閉容器内にオブジェクトをオイル等の液体と共に封入したオイルタイプ等も含まれるものとする。
【００２１】
【作用】
［請求項１の発明］
請求項１の万華鏡を使用する際には、筒状体を手で持ち、該筒状体の後端に設けられた覗き窓を覗いた状態で該筒状体を回転させる。
【００２２】
しかるときは、密閉容器は筒状体と共に回転するが、密閉容器内の各収納室は相互に独立しており、各収納室内に配設された多数のオブジェクトは他の収納室内のオブジェクトと混ざり合うことがない。即ち、各収納室内のオブジェクトは当該収納室内でのみ移動し、当該収納室内のオブジェクトとのみ相互に混ざり合う。従って、例えば各収納室内にそれぞれ同系色のオブジェクトを配設したときには、これらのオブジェクトが他の収納室内の異系色のオブジェクトと混ざり合うことがない。更に、各区画室内のオブジェクトは他の区画室内のオブジェクトとは異なる動きを示す。その結果、密閉容器内のオブジェクトの動きは極めて複雑になり、万華鏡使用者は各収納室毎に刻々と変化する美しい模様を見ることができる。
【００２３】
なお、密閉容器内は前後方向の隔壁により複数個の収納室に区画されているため、各収納室の前後両端は密閉容器の前後両端部に形成された透光体に臨むことになる。
【００２４】
［請求項２の発明］
請求項２の万華鏡を使用する際には、覗き窓を有する筒状体を回転させることなく、密閉容器のみを回転させればよい。その他の点においては、請求項２の万華鏡は前記請求項１の万華鏡と同様の作用を有する。
【００２５】
【発明の実施の形態】
次に、本発明の実施の形態を添付図面に従って説明する。
【００２６】
符号１に示すものは筒状体である。筒状体１は好ましくは円筒状体とする。
【００２７】
筒状体１にミラーシステム３を内設する。図示の事例におけるミラーシステム３は、２枚のミラー３ａ、３ａと１枚の光吸収板３ｂとを三角筒状に組み合わせてなるツーミラーシステムである。光吸収板３ｂとしては、例えば黒色板が用いられる。
【００２８】
筒状体１の後端には覗き窓５を設ける。覗き窓５は筒状体１の後端を塞ぐ後端板７の中央部に形成し、該覗き窓５の内側にはレンズ９を備えさせる。
【００２９】
筒状体１の前端には密閉容器（セル）１１を備えさせる。
【００３０】
密閉容器１１の前後両端部をそれぞれ透光体１３、１５により形成する。透光体１３、１５は一例としてガラス板とする。なお、図１に示す事例においては、筒状体１の前端にも透光体１７を備えさせている。この透光体１７も一例としてガラス板とする。
【００３１】
密閉容器１１内を前後方向の隔壁１９により相互に独立した複数個の収納室２１、２１・・・に区画し、各収納室２１内に多数のオブジェクト２３、２３・・・を他の収納室２１、２１・・・内のオブジェクト２３、２３・・・と混ざり合わないように移動自在に配設する。図示の事例においては、密閉容器１１内に２個の収納室２１、２１が設けられている。
【００３２】
オブジェクト２３、２３・・・としては、例えばガラス、紙、宝石、合成樹脂等の小片を用いる。
【００３３】
密閉容器１１は、図４に示すように、筒状体１に回転不能に固定してもよいが、図１に示す事例においては密閉容器１１は筒状体１に対し回転自在である。
【００３４】
図１に示す事例においては、密閉容器１１を筒状体１に対し回転自在となすために、筒状体１の前端に環状軸受２５を設けると共に密閉容器１１の後端に突縁２７を設け、該環状軸受２５に突縁２７を回転自在に支持させている。符合２９に示すものはパテである。
【００３５】
図５は、密閉容器１１内に２個の収納室２１、２１が設けられている万華鏡において、覗き窓５を介して見える模様の一例を示すものである。なお、この模様は密閉容器１１の回転に伴って刻々と変化するものである。
【００３６】
【発明の効果】
以上説明したように、本発明によれば、密閉容器内の各収納室は相互に独立しており、各収納室内に配設された多数のオブジェクトは他の収納室内のオブジェクトと混ざり合うことがない。即ち、各収納室内のオブジェクトは当該収納室内でのみ移動し、当該収納室内のオブジェクトとのみ相互に混ざり合う。従って、例えば各収納室内にそれぞれ同系色のオブジェクトを配設したときには、これらのオブジェクトが他の収納室内の異系色のオブジェクトと混ざり合うことがない。更に、各区画室内のオブジェクトは他の区画室内のオブジェクトとは異なる動きを示す。その結果、密閉容器内のオブジェクトの動きは極めて複雑になり、万華鏡使用者は各収納室毎に刻々と変化する美しい模様を見ることができる。
【図面の簡単な説明】
【図１】本発明による万華鏡の一例を拡大して示す断面図である。
【図２】同上万華鏡の正面図である。
【図３】図１のＩＩＩ−ＩＩＩ線における断面図である。
【図４】同上万華鏡の別の一例を示す断面図である。
【図５】同上万華鏡において、覗き窓を介して見える模様の一例を示す説明図である。
【符号の説明】
１  筒状体
３  ミラーシステム
３ａ  ミラー
３ｂ  光吸収板
５  覗き窓
７  後端板
９  レンズ
１１  密閉容器
１３  透光体
１５  透光体
１７  透光体
１９  隔壁
２１  収納室
２３  オブジェクト
２５  環状軸受
２７  突縁
２９  パテ
【図１】
2004361730.tif 000003
【図２】
2004361730.tif 000004
【図３】
2004361730.tif 000005
【図４】
2004361730.tif 000006
【図５】
2004361730.tif 000007